(57)【要約】【課題】押し潰さない状態でも十分な緩み止め機能を発揮できるバネ付座金及びこれを用いた固定具を提供する。【解決手段】固定具は、第１の被締結部材に第２の被締結部材を固定する固定具であって、第１の被締結部材に固定される台座と、台座に装着されて台座と第２の被締結部材との間に介在するバネ付座金と、第２の被締結部材と台座とを締結する締結体とを備え、バネ付座金は、締結体のネジ部を挿通させるネジ部挿通孔と、ネジ部挿通孔の周囲に形成され、締結体の締付け時に締結体に設けられた押圧部が当接することで押圧される縁部と、縁部からネジ部挿通孔に対する締結体の挿通方向前方かつ外方に向かって延設され、途中に屈曲部を有する板バネと、を有し、締結体の締付け時に、屈曲部が台座に当接した状態で縁部が押圧部に押圧されることで板バネの先端が第２の被締結部材に当接する。【選択図】図２
2014114834.tif 000002
【特許請求の範囲】
【請求項１】
第１の被締結部材に第２の被締結部材を固定する固定具であって、
前記第１の被締結部材に固定される台座と、
前記台座に装着されて、前記台座と前記第２の被締結部材との間に介在するバネ付座金と、
前記第２の被締結部材と前記台座とを締結する締結体と、
を備え、
前記バネ付座金は、
前記締結体のネジ部を挿通させるネジ部挿通孔と、
前記ネジ部挿通孔の周囲に形成され、前記締結体の締付け時に当該締結体に設けられた押圧部が当接することで押圧される縁部と、
前記縁部から前記ネジ部挿通孔に対する前記締結体の挿通方向前方かつ外方に向かって延設され、途中に屈曲部を有する板バネと、
を有し、
前記締結体の締付け時に、前記屈曲部が前記台座に当接した状態で前記縁部が前記押圧部に押圧されることで、前記板バネの先端が前記第２の被締結部材に当接することを特徴とする固定具。
【請求項２】
前記板バネは、前記縁部に対し前記締結体の挿通方向前方側に傾斜して連設される第１板バネ部と、当該第１板バネ部に対し傾斜して連設される第２板バネ部とを有し、
前記第１板バネ部及び前記第２板バネ部の境界位置に前記屈曲部が形成されると共に、前記締結体の締付け時に第２板バネ部の先端が前記第２の被締結部材に当接することを特徴とする請求項１に記載の固定具。
【請求項３】
前記バネ付座金は、前記縁部のうち前記ネジ部挿通孔を挟んで略対向する部分からそれぞれ前記板バネが延設されていることを特徴とする請求項１又は２に記載の固定具。
【請求項４】
前記台座は、前記バネ付座金を装着するための凸形状の座金装着部を有し、
前記バネ付座金は、前記縁部を同一平面内に含み且つ前記締結体の締付け時に前記第２板バネ部を通すための開口窓を有する第１の板部と、前記第１の板部の外縁から立設すると共に前記座金装着部に嵌合可能な枠部と、を有することを特徴とする請求項１から３の何れか一項に記載の固定具。
【請求項５】
前記固定具は、前記第１の被締結部材としての基板に、前記基板に実装される電子部品を冷却する前記第２の被締結部材としてのヒートシンクを固定するものであって、
前記台座は、前記基板における前記電子部品の実装面側に配置されると共に前記電子部品の周囲を囲む枠体であることを特徴とする請求項１から４の何れか一項に記載の固定具。
【請求項６】
前記台座は、略四角形状を有する枠体であって、その少なくとも四隅において第２の締結体を介して前記基板に締結されることを特徴とする請求項５に記載の固定具。
【請求項７】
締結体を介して締結される第１の被締結部材と第２の被締結部材との間に介在させるバネ付座金であって、
前記締結体のネジ部を挿通させるネジ部挿通孔と、
前記ネジ部挿通孔の周囲に形成され、前記締結体の締付け時に当該締結体に設けられた押圧部が当接することで押圧される縁部と、
前記縁部から前記ネジ部挿通孔に対する前記締結体の挿通方向前方かつ外方に向かって延設され、途中に屈曲部を有する板バネと、
を備え、
前記締結体の締付け時に、前記屈曲部が前記第１の被締結部材に当接した状態で前記縁部が前記押圧部に押圧されることで、前記板バネの先端が前記第２の被締結部材に当接することを特徴とするバネ付座金。
【請求項８】
前記板バネは、前記縁部に対し前記締結体の挿通方向前方側に傾斜して連設される第１板バネ部と、当該第１板バネ部に対し傾斜して連設される第２板バネ部とを有し、
前記第１板バネ部及び前記第２板バネ部の境界位置に前記屈曲部が形成されると共に、前記締結体の締付け時に第２板バネ部の先端が前記第２の被締結部材に当接することを特徴とする請求項７に記載のバネ付座金。
【請求項９】
前記縁部のうち前記ネジ部挿通孔を挟んで略対向する部分からそれぞれ前記板バネが延設されていることを特徴とする請求項７又は８に記載のバネ付座金。
【請求項１０】
前記縁部を同一平面内に含み且つ前記締結体の締付け時に前記第２板バネ部を通すための開口窓を有する第１の板部と、前記第１の板部の外縁から立設する枠部を有することを特徴とする請求項７から９の何れか一項に記載のバネ付座金。
【発明の詳細な説明】
【技術分野】
【０００１】
本発明は、バネ付座金及び固定具に関する。
【背景技術】
【０００２】
ネジやボルトといった締結体の緩み止めを抑制する部材としてバネ性を有するバネ座金が知られている。バネ座金のバネ性によって、締結体の座面と被締結部材の座面との間を押し広げることで、締結体の緩みを防止している。通常、バネ座金は、平座金の一部を切断し、切り口を捩ることによりバネ性を持たせたものが多く、バネ座金が締結体の座面と被締結部材の座面とによって押し潰されることでバネ性が発揮されている。
【０００３】
ところで、電子装置の基板に実装されている電子部品を冷却する方法として、ヒートシンクを電子部品と熱的に接触させた状態で基板に固定する方法が知られている。通常、ヒートシンクは、電子部品からの熱を伝えやすくするために、電子部品の表面に押し付けられた状態で基板に固定される。そして、ヒートシンクを基板に締結する場合、締結体の緩み止めを防止する目的でバネ座金を用いる場合がある。
【先行技術文献】
【特許文献】
【０００４】
【特許文献１】特開２０００−１９９５１４号公報
【特許文献２】特開２００１−１８７９１１号公報
【発明の概要】
【発明が解決しようとする課題】
【０００５】
しかしながら、被締結部材の一方であるヒートシンクを電子部品に押し付けた状態で他方の被締結部材である基板に締結する際、バネ座金が押し潰れるまで締結体を締め付けると、ヒートシンクを電子部品に押し付ける力が過剰となる虞がある。その結果、ヒートシンクを基板に固定する際にヒートシンクから加えられる荷重が電子部品の許容荷重を超えてしまい、電子部品が損傷を受ける虞がある。
【０００６】
本件は、上記事情に鑑みてなされたものであり、押し潰さない状態でも十分な緩み止め機能を発揮できるバネ付座金及びこれを用いた固定具の提供を目的とする。
【課題を解決するための手段】
【０００７】
本件の一観点による固定具は、第１の被締結部材に第２の被締結部材を固定する固定具であって、前記第１の被締結部材に固定される台座と、前記台座に装着されて、前記台座と前記第２の被締結部材との間に介在するバネ付座金と、前記第２の被締結部材と前記台座とを締結する締結体と、を備え、前記バネ付座金は、前記締結体のネジ部を挿通させるネジ部挿通孔と、前記ネジ部挿通孔の周囲に形成され、前記締結体の締付け時に当該締結体に設けられた押圧部が当接することで押圧される縁部と、前記縁部から前記ネジ部挿通孔に対する前記締結体の挿通方向前方かつ外方に向かって延設され、途中に屈曲部を有する板バネと、を有し、前記締結体の締付け時に、前記屈曲部が前記台座に当接した状態で前記縁部が前記押圧部に押圧されることで、前記板バネの先端が前記第２の被締結部材に当接することを特徴とする。
【０００８】
また、本件の一観点によるバネ付座金は、締結体を介して締結される第１の被締結部材と第２の被締結部材との間に介在させるバネ付座金であって、前記締結体のネジ部を挿通させるネジ部挿通孔と、前記ネジ部挿通孔の周囲に形成され、前記締結体の締付け時に当
該締結体に設けられた押圧部が当接することで押圧される縁部と、前記縁部から前記ネジ部挿通孔に対する前記締結体の挿通方向前方かつ外方に向かって延設され、途中に屈曲部を有する板バネと、を備え、前記締結体の締付け時に、前記屈曲部が前記第１の被締結部材に当接した状態で前記縁部が前記押圧部に押圧されることで、前記板バネの先端が前記第２の被締結部材に当接することを特徴とする。
【発明の効果】
【０００９】
本件によれば、押し潰さない状態でも十分な緩み止め機能を発揮できるバネ付座金及びこれを用いた固定具を提供できる。
【図面の簡単な説明】
【００１０】
【図１】実施形態１に係る基板ユニットの斜視図である。
【図２】実施形態１に係る基板ユニットの分解斜視図である。
【図３】実施形態１に係る基板ユニットの側面図である。
【図４】実施形態１に係る台座の斜視図である。
【図５】実施形態１に係る台座にバネ付座金を装着した状態を示す図である。
【図６】実施形態１に係るバネ付座金の斜視図である。
【図７】実施形態１に係るバネ付座金の斜視図である。
【図８】実施形態１に係るスプリング付きネジのネジ本体を示す図である。
【図９】実施形態１に係るスプリング付きネジのネジ本体を示す図である。
【図１０】実施形態１に係るスプリング付きネジのネジ本体を示す図である。
【図１１】台座の座金装着部にバネ付座金を装着した状態を示す図である。
【図１２】スプリング付きネジの締付け過程において、スプリング付きネジの押圧部がバネ付座金の縁部に当接した時点の状態を示す図である。
【図１３】スプリング付きネジの締付け過程において、板バネの変形状態を説明する説明図である。
【図１４】スプリング付きネジの締付け過程において、板バネの変形状態を説明する説明図である。
【図１５】実施形態２に係る基板ユニットの分解斜視図である。
【発明を実施するための形態】
【００１１】
以下、図面を参照して、発明を実施するための実施形態に係るバネ付座金及びこのバネ付座金を用いた固定具について例示的に詳しく説明する。なお、以下の実施形態においては、基板に実装される電子部品を冷却するためのヒートシンクを、固定具を用いて基板に固定する場合を例に説明するが、固定具を用いて固定する対象は特定の物に限定されない。
【００１２】
＜実施形態１＞
図１は、実施形態１に係る固定具２を用いて基板３にヒートシンク４が固定された基板ユニット１の斜視図である。基板ユニット１は、基板３、ヒートシンク４、及びこれらを互いに固定する固定具２を備える。図２は、実施形態１に係る基板ユニット１の分解斜視図である。図３は、実施形態１に係る基板ユニット１の側面図である。
【００１３】
基板３は、例えばプリント配線基板である。基板３の表面には、発熱体で冷却対象となる電子部品５が実装されている。電子部品５は、例えばＬＳＩ、ＣＰＵ等といった半導体パッケージであっても良い。基板３のうち、電子部品５が実装される方の面を「実装面３１」と称し、反対側の面を「非実装面３２」と称する。ヒートシンク４は、電子部品５のうち、基板３の実装面３１とは反していない方の面（以下、「ヒートシンク載置面」という）５１に接触して設置されて、電子部品５を冷却する。なお、図２に示す例では、電子部品５は略直方体形状を有しているが、これに限定されるものではない。
【００１４】
ヒートシンク４は、ベース部４１及び放熱フィン４２等を有する。ヒートシンク４のベース部４１は、電子部品５のヒートシンク載置面５１にサーマルシート１１を介して載置されるリッド部４３と、このリッド部４３よりも一回り大きな横断面積を有するベースプレート４４とを有している。本実施形態におけるリッド部４３及びベースプレート４４は、共に略四角形平面を有する平板形状を有しているが、その形状は変更することができる。なお、上記の「横断面」とは、リッド部４３やベースプレート４４における平面方向に沿った断面を指す。リッド部４３の横断面積は、電子部品５のヒートシンク載置面５１と略等しいか、僅かに大きい。また、ベースプレート４４は、電子部品５のヒートシンク載置面５１に比べて横断面積が大きい。
【００１５】
サーマルシート１１は、いわゆる熱伝導性接合材であり、ヒートシンク４のリッド部４３と電子部品５との間に挟まれることで、双方の部材を接合している。サーマルシート１１によって、電子部品５とリッド部４３との間における熱抵抗が低減され、電子部品５からリッド部４３に熱が伝達されやすくなる。この種の熱伝導性接合材としては、サーマルシート１１の他、サーマルグリースやサーマルコンパウンド等を例示することができ、サーマルシート１１に代えてこれらを使用しても良い。
【００１６】
図２及び図３に示すように、ヒートシンク４のベースプレート４４には、スプリング付きネジ６の軸部を挿通させるための挿通孔４５が形成されている。挿通孔４５は、ベースプレート４４の一組の対向する辺の縁部近傍に穿設されている。本実施形態では、２個の挿通孔４５をベースプレート４４に設けるようにしているが、挿通孔４５の数は適宜変更することができる。なお、挿通孔４５は、ベースプレート４４の縁部近傍に穿設するようにしたので、リッド部４３と上下に重ならないようになっている。
【００１７】
ベースプレート４４の上面、すなわちリッド部４３と接続されていない方の面には、複数の放熱フィン４２が設けられている。放熱フィン４２は、ベースプレート４４に固着された薄板状の放熱板である。各放熱フィン４２は、ベースプレート４４の上面から、垂直方向に立ちあがるように立設している。また、個々の放熱フィン４２は、相互に平行に配列されており、隣接する放熱フィン４２同士の間には、同一方向に伸びる通気路が区画形成される。ベース部４１（リッド部４３、ベースプレート４４）、及び放熱フィン４２等は、例えば、アルミニウムや銅といった金属材料を用いることができる。
【００１８】
次に、本実施形態に係る固定具２の詳細について説明する。固定具２は、主として、台座７、この台座７に装着されるバネ付座金８、スプリング付きネジ６等を有する。また、固定具２は、Ｅリング９や固定ネジ１０等の締結体を有する。図４は、実施形態１に係る台座７の斜視図である。図５は、実施形態１に係る台座７にバネ付座金８を装着した状態を示す図である。図４に示すように、台座７は、平面視で略四角形状を有する枠体であり、その四隅に第１ネジ孔７１が設けられている。第１ネジ孔７１の内面には、固定ネジ１０に螺合可能な雌ネジ加工が施されている。
【００１９】
図２、３にも示されるように、台座７は、固定ネジ１０によって基板３に締結される。台座７の内周縁の大きさは、電子部品５の外形よりも若干大きく形成されている。これによって、台座７は、電子部品５と干渉することなく、電子部品５の外周（周囲）を囲むように、基板３の実装面３１に取り付けることができる。また、図４に示すように、台座７を形成する四辺のうち、一組の対向する短辺７３ａ，７３ｂには、凸形状の座金装着部７２が形成されている。座金装着部７２の上面７２ａには、第２ネジ孔７２ｂが設けられている。第２ネジ孔７２ｂの内面には、スプリング付きネジ６のネジ部６０１に螺合可能な雌ネジ加工が施されている。
【００２０】
また、台座７を形成する四辺のうち、一組の対向する長辺７４ａ，７４ｂは、台座７を形成する板材が略Ｌ形に折り曲げられることで立ち上がった折り曲げ部７５が形成されている。座金装着部７２は、各短辺７３ａ，７３ｂにおける中央部分に設けられているが、その設置位置については適宜変更することができる。各短辺７３ａ，７３ｂにおける座金装着部７２の両側には、上述した第１ネジ孔７１が設けられている。また、台座７における一組の長辺７４ａ，７４ｂには、上記のように折り曲げ部７５が形成されることで、台座７の剛性を高めることができる。また、座金装着部７２についても、台座７を形成する板材を折り曲げることにより、台座７の剛性を高めることができる。
【００２１】
図５に示すように、バネ付座金８は、台座７の座金装着部７２に装着されて使用される。図６及び図７は、本実施形態におけるバネ付座金８の斜視図である。図６にバネ付座金８の外面側を主として表し、図７にバネ付座金８の内面側を主として表している。バネ付座金８は、台座７の座金装着部７２に覆い被さるような蓋形状を有している。図６及び図７における符号８１は、バネ付座金８が座金装着部７２に装着される際に、座金装着部７２の上面７２ａに対向配置される頂板部である。ここで、バネ付座金８における頂板部８１は、第１の板部の一例である。
【００２２】
本実施形態において、バネ付座金８の頂板部８１は、略矩形状を有している。また、頂板部８１の外縁すなわち四方の縁部には、側壁部８２ａ〜ｄが立設している。バネ付座金８は、４つの側壁部８２ａ〜ｄによって全体として枠形状を有する枠部８３が形成されている。ここで、バネ付座金８の頂板部８１と座金装着部７２の上面７２ａとの関係について言及する。頂板部８１の短辺寸法は上面７２ａの幅寸法と略同一か僅かに大きく、頂板部８１の長辺寸法は上面７２ａの長さ寸法と略同一か若しくは僅かに大きい。これにより、バネ付座金８の枠部８３を座金装着部７２に嵌合することができ、台座７の座金装着部７２に対して容易にバネ付座金８を装着することができる。
【００２３】
図６及び図７に示すように、バネ付座金８における頂板部８１の中央部近傍には、スプリング付きネジ６のネジ部６０１を挿通させるためのネジ部挿通孔８４が、板厚方向に貫通して設けられている。本実施形態に係る固定具２は、基板３へのヒートシンク４の取付けに際し、固定ネジ１０を介して基板３に締結及び固定された台座７に対して、ヒートシンク４を、スプリング付きネジ６を介して締結する。その際、図２、図３等から判るように、台座７における座金装着部７２に装着したバネ付座金８を台座７とヒートシンク４との間に介在させて、台座７とヒートシンク４とが締結される。その際、スプリング付きネジ６のネジ部６０１は、バネ付座金８における外面側から内面側に向かってネジ部挿通孔８４に挿通される。言い換えると、スプリング付きネジ６のネジ部６０１は、頂板部８１の表面側から裏面側に向かって、ネジ部挿通孔８４に挿通される。以下、バネ付座金８のネジ部挿通孔８４にスプリング付きネジ６のネジ部６０１が挿通されるときの方向を「挿通方向」と称する。また、本実施形態においては、基材３が第１の被締結部材の一例であり、ヒートシンク４が第２の被締結部材の一例である。また、スプリング付きネジ６が締結体の一例である。
【００２４】
図６及び図７に示すように、バネ付座金８の頂板部８１におけるネジ部挿通孔８４の周囲には、縁部８５が形成されている。バネ付座金８の頂板部８１は、縁部８５を同一平面内に含んでいる。頂板部８１の縁部８５は、スプリング付きネジ６の締付け時にスプリング付きネジ６に設けられた押圧部が当接することで押圧されるようになっているが、この押圧部については後述する。更に、バネ付座金８は、一組の板バネ８６ａ，８６ｂを備えている。板バネ８６ａ，８６ｂは、頂板部８１における縁部８５から、ネジ部挿通孔８４に対するスプリング付きネジ６の挿通方向前方かつ外方に向かって延設されている。板バネ８６ａ，８６ｂは、断面視略Ｌ字形（略への字形）を有しており、その途中に屈曲部８７を有している。ここで、板バネ８６ａ，８６ｂのうち、屈曲部８７よりも基端側の部位
を「第１板バネ部８８」と称し、屈曲部８７よりも先端側の部位を「第２板バネ部８９」と称する。
【００２５】
上記のように、板バネ８６ａ，８６ｂは、第１板バネ部８８、第２板バネ部８９、及びこれらの境界位置に形成される屈曲部８７を有している。そして、板バネ８６ａ，８６ｂの第１板バネ部８８は、縁部８５に対してスプリング付きネジ６の挿通方向前方側に傾斜して連設されている。また、板バネ８６ａ，８６ｂの第２板バネ部８９は、第１板バネ部８８に対して傾斜して連設されている。図５〜図７にも示されるように、第１板バネ部８８は、縁部８５とのなす角度が鈍角となるように、縁部８５に対して傾斜した状態で接続されている。また、第２板バネ部８９は、第１板バネ部８８とのなす角度が鈍角となるように、第１板バネ部８８に対して傾斜して接続されている。また、第２板バネ部８９は、頂板部８１（縁部８５）の平面方向に沿って配置されている。つまり、板バネ８６ａ，８６ｂの第２板バネ部８９は、縁部８５と略平行な姿勢として配置されている。
【００２６】
更に、バネ付座金８は、頂板部８１のうち、各板バネ８６ａ，８６ｂに対応する位置に形成された一組の開口窓８０ａ，８０ｂを有している。バネ付座金８における板バネ８６ａ，８６ｂは、開口窓８０ａ，８０ｂを通じてバネ付座金８の外部に臨んでいる。そして、図６からも判るように、開口窓８０ａ，８０ｂと板バネ８６ａ，８６ｂとは、開口窓８０ａ，８０ｂの縁部と板バネ８６ａ，８６ｂとが上下に重ならないように、大きさ及び相対位置等の関係が規定されている。なお、本実施形態においては、開口窓８０ａ，８０ｂの形状を略矩形状としているが、これに限定されることはなく、他の形状を採用しても良い。また、バネ付座金８は、縁部８５のうち、ネジ部挿通孔８４を挟んで略対向する部分からそれぞれ一組の板バネ８６ａ，８６ｂが延設されている。更に、バネ付座金８における一組の開口窓８０ａ，８０ｂは、スプリング付きネジ６の締付け時に、上方に向かってせり上がる板バネ８６ａ，８６ｂの第２板バネ部８９を通すために利用される開口部である。スプリング付きネジ６の締付け時における板バネ８６ａ，８６ｂの動作内容については、後述する。
【００２７】
次に、スプリング付きネジ６の詳細について説明する。図８〜１０は、スプリング付きネジ６のネジ本体６０を示す図である。スプリング付きネジ６は、ネジ本体６０、スプリング６１等を有する。ネジ本体６０は、軸部６０ａ及び頭部６０ｂを有している。また、軸部６０ａには、その先端側から、ネジ部６０１、小径部６０２、第１胴部６０３、第２胴部６０４が形成されている。ネジ部６０１は、雄ネジが形成されている。ネジ部６０１の雄ネジは、台座７の座金装着部７２における第２ネジ孔７２ｂに形成された雌ネジと螺合可能である。
【００２８】
ネジ部６０１の後端には、当該ネジ部６０１よりも小径の小径部６０２が接続されている。更に、小径部６０２の後端には、小径部６０２よりも大径の第１胴部６０３が接続されている。ネジ部６０１及び小径部６０２の外径は、バネ付座金８におけるネジ部挿通孔８４の内径よりも小さい。また、第１胴部６０３は小径部６０２よりも大径であり、その前端面に押圧部６０５が形成されている。押圧部６０５の外径は、バネ付座金８におけるネジ部挿通孔８４の直径よりも大きく、ネジ部挿通孔８４を通り抜けることはできない。第１胴部６０３の途中には、一段小径となったＥリング装着部６０６が形成されている。Ｅリング装着部６０６には、図２に示したＥリング９を装着することができる。
【００２９】
また、第１胴部６０３の後端には、第１胴部６０３よりも外径が一回り大きな第２胴部６０４が接続されている。そして、第２胴部６０４の後端には、第２胴部６０４に比べて更に大きな外径を有する頭部６０ｂが接続されている。頭部６０ｂには、ネジ穴６０７が設けられている。また、ヒートシンク４のベースプレート４４に形成された挿通孔４５の内径は、ネジ本体６０における第１胴部６０３の外径よりも大きく、第２胴部６０４の外
径よりも小さい。また、図２に示すように、スプリング６１は、ネジ本体６０の軸部６０ａに介装されるようになっている。
【００３０】
次に、本実施形態に係る固定具２を用いて基板３にヒートシンク４を固定する手順、及び、ヒートシンク４の固定時におけるバネ付座金８の動作状況について説明する。図２に示すように、まず、実装面３１に電子部品５が実装された基板３を用意する。次に、固定ネジ１０を用いて台座７を基板の実装面３１に締結する。なお、図２に示すように、基板３には、固定ネジ１０を挿通するネジ挿通孔３３が、基板３を貫通して設けられている。台座７の締結に際しては、基板３の非実装面３２側からネジ挿通孔３３に固定ネジ１０を挿通させた後、この固定ネジ１０を、台座７の第１ネジ孔７１に螺合させる。全ての固定ネジ１０を第１ネジ孔７１に螺合させることで、基板３に対する台座７の取付けが完了する。
【００３１】
次に、図１１に示すように、台座７の各座金装着部７２にバネ付座金８を装着した状態で、ヒートシンク４を電子部品５のヒートシンク載置面５１に載置する。その際、電子部品５のヒートシンク載置面５１とヒートシンク４のリッド部４３との間には、サーマルシート１１を挟み込むようにする。なお、サーマルシート１１の平面形状及び大きさは、電子部品５のヒートシンク載置面５１に概ね合致するように調整されている。また、ネジ本体６０にスプリング６１を装着したスプリング付きネジ６のネジ部６０１、小径部６０２、及び第１胴部６０３を予めヒートシンク４の挿通孔４５に挿入した状態で、ヒートシンク４を電子部品５上に載置しても良い。その際、スプリング付きネジ６をヒートシンク４の挿通孔４５に挿入した後、第１胴部６０３におけるＥリング装着部６０６にＥリング９を装着すると良い。これにより、不用意にスプリング付きネジ６が挿通孔４５から抜け出すことを抑制できる。なお、ヒートシンク４を電子部品５上に載置した後、ヒートシンク４の挿通孔４５にスプリング付きネジ６を挿入しても良い。
【００３２】
ヒートシンク４の挿通孔４５を挿通したスプリング付きネジ６のネジ部６０１は、図１１に示すように、バネ付座金８のネジ部挿通孔８４に挿通させる。本実施形態では、座金装着部７２にバネ付座金８を被せた際、座金装着部７２の第２ネジ孔７２ｂと、バネ付座金８のネジ部挿通孔８４との平面位置が合致するように、バネ付座金８と座金装着部７２との相対関係が規定されている（図５を参照）。これによれば、座金装着部７２にバネ付座金８を被せると同時に、座金装着部７２の第２ネジ孔７２ｂとバネ付座金８のネジ部挿通孔８４との位置合わせが完了する。従って、使用者は、この状態から、例えばドライバー等の工具を用いてスプリング付きネジ６を締付けることにより、スプリング付きネジ６のネジ部６０１を台座７における座金装着部７２の第２ネジ孔７２ｂと螺合させることができる。つまり、使用者は、バネ付座金８のネジ部挿通孔８４の位置を座金装着部７２の第２ネジ孔７２ｂの位置に改めて合わせる作業をする必要が無く、基板ユニット１を容易に組み立てることができる。これによって、基板ユニット１を組み立てる際の作業性を向上することができる。
【００３３】
スプリング付きネジ６の締付けを進めていくと、バネ付座金８の頂板部８１に対して第１胴部６０３の前端面に形成された押圧部６０５が徐々に接近する。上記の通り、押圧部６０５の外径は、バネ付座金８におけるネジ部挿通孔８４の直径よりも大きい。従って、スプリング付きネジ６の螺合量が増加していくと、ある時点でスプリング付きネジ６の押圧部６０５がバネ付座金８の縁部８５に当接する。図１２は、スプリング付きネジ６の締付け過程において、スプリング付きネジ６の押圧部６０５がバネ付座金８の縁部８５に当接した時点の状態を示す図である。
【００３４】
図１２に示すように、台座７の座金装着部７２に装着されたバネ付座金８は、板バネ８６ａ，８６ｂの屈曲部８７及び第２板バネ部８９が、座金装着部７２の上面７２ａに当接
している。この状態から、更にスプリング付きネジ６を締付けると、屈曲部８７が台座７に当接した状態で、縁部８５が下方に向けてスプリング付きネジ６の押圧部６０５に押圧されることになる。そうすると、座金装着部７２に対してバネ付座金８が全体的に沈み込む。その際、座金装着部７２の上面７２ａに屈曲部８７が当接しているため、図１３に示すように、バネ付座金８の縁部８５に対して、板バネ８６ａ，８６ｂの第１板バネ部８８が相対的に回転変形する。より詳しくは、板バネ８６ａ，８６ｂの第１板バネ部８８は、バネ付座金８の縁部８５とのなす角度が図１２に示す状態に比べて緩やかになるように変形する。その結果、テコの原理によって、屈曲部８７を支点として板バネ８６ａ，８６ｂの第２板バネ部８９が上方に向かって、すなわち開口窓８０ａ，８０ｂに接近する方向にせり上がる。図１３に示す状態は、スプリング付きネジ６の締付け過程において、バネ付座金８における板バネ８６ａ，８６ｂ（第２板バネ部８９）の先端側が、開口窓８０ａ，８０ｂをくぐり抜けた（すなわち、通り抜けた）状態を示している。
【００３５】
ここで、台座７の座金装着部７２に装着されたバネ付座金８の上部には、ヒートシンク４のベースプレート４４が配置されている。そして、スプリング付きネジ６を更に締付けることで、バネ付座金８の縁部８５に対する第１板バネ部８８の変形は更に顕著となる。そうすると、屈曲部８７を支点とした第２板バネ部８９のせり上がりが進行し、図１４に示すように、第２板バネ部８９の先端がベースプレート４４に当接するようになる。
【００３６】
図１４に示す状態では、板バネ８６ａ，８６ｂは、第１板バネ部８８の基端部が縁部８５を介してスプリング付きネジ６の押圧部６０５に押し付けられ、第２板バネ部８９の先端部がベースプレート４４の下面に押し付けられる。また、板バネ８６ａ，８６ｂの屈曲部８７が、台座７の座金装着部７２に押し付けられる。このように、本実施形態に係るバネ付座金８は、屈曲部８７、第１板バネ部８８及び第２板バネ部８９の３箇所が相手側の部材に当接する。その結果、第１板バネ部８８及び第２板バネ部８９のそれぞれが板バネとして機能し、バネ付座金８全体として大きなバネ性（バネ力）が得られるようになる。その際、バネ付座金８は、ベースプレート４４及び台座７によって板バネ８６ａ，８６ｂが押し潰されることはないため、電子部品５に対してヒートシンク４から過度に大きな力が作用することを抑制できる。従って、電子部品５が、例えばＦＰＧＡ（field-programmable gate array）等のように許容荷重が比較的小さな汎用電子部品であっても、ヒート
シンク４を基板３に固定する際、電子部品５の受ける荷重がその許容荷重を超えることを抑制できる。よって、ヒートシンク４を基板３に固定する際、電子部品５が損傷を受けることを好適に抑制できる。
【００３７】
以上より、本実施形態に係るバネ付座金８によれば、押し潰さない状態でも十分な緩み止め機能を発揮することが可能である。つまり、電子部品５の破損防止と、スプリング付きネジ６の緩み止めとを両立することができる。また、バネ付座金８によれば、電子部品５やサーマルシート１１の厚さ寸法の公差により、ヒートシンク４のリッド部４３の高さが変動しても、高さ寸法の変動を吸収することができる。
【００３８】
また、バネ付座金８の板バネ８６ａ，８６ｂは、縁部８５のうちネジ部挿通孔８４を挟んで略対向する部分からそれぞれ外側に向かって延設されているため、図１１に示したように、バネ付座金８を安定した姿勢で台座７の座金装着部７２に装着できる。また、スプリング付きネジ６の締付け前の初期状態において、バネ付座金８の第２板バネ部８９が頂板部８１（縁部８５）に沿った略水平姿勢で配置されるため、座金装着部７２に対してバネ付座金８の据わりが良い。つまり、バネ付座金８をより一層安定した姿勢で座金装着部７２に装着できるので、基板ユニット１の組み立て時における作業効率の向上に資することができる。
【００３９】
また、本実施形態の固定具２によれば、座金装着部７２にバネ付座金８を被せるだけで
、座金装着部７２の第２ネジ孔７２ｂとバネ付座金８のネジ部挿通孔８４の位置を合わせることができる。そして、台座７の第２ネジ孔７２ｂの位置に合わせて、平座金やバネ座金を配置する手間を省きつつ、スプリング付きネジ６の締付けを即座かつ円滑に行うことができる。これにより、基板ユニット１の組み立て作業性を向上させることが可能である。また、バネ付座金８は、頂板部８１の外周縁から立設する枠部８３（側壁部８２ａ〜ｄ）を有しているので、座金装着部７２にバネ付座金８を被せた後、第２ネジ孔７２ｂとネジ部挿通孔８４の平面位置がずれることを抑制できる。従って、平座金の一部を切断し、切り口を捩ることによりバネ性を持たせたバネ座金を使用する場合に比べて、基板ユニット１の組み立て作業性が優れている。
【００４０】
また、本実施形態においては、基板３の実装面３１側に台座７を配置することができるので、非実装面３３における電子部品５の裏側に位置する部位を、他の電子部品の実装スペースとして利用することができる。なお、ここでいう他の電子部品としては、バイパスコンデンサ等が例示できるが、これには限定されない。
【００４１】
また、本実施形態に係る台座７は、固定ネジ１０を用いて、四隅を基板３に締結するようにしたので、基板３の反りの抑制に資する。例えば、本実施形態に係る基板ユニット１をラック内に縦に配置する場合、ヒートシンク４の重量によって基板３に反りが生じやすくなる。このような場合においても、枠形状を有する台座７の少なくとも四隅を基板３に締結することで、基板３の反りを好適に抑えることができる。また、本実施形態に係る台座７は、折り曲げ部７５を有しているため、台座７の剛性を高めることができる。このように、台座７の剛性を確保することで、基板３の反り抑制効果をより一層高めることができる。
【００４２】
なお、本実施形態においては、バネ付座金８は、ヒートシンク４と台座７との間に介在し、スプリング付きネジ６はヒートシンク４と台座７とを締結しているともいえる。この場合、台座７が第１の被締結部材の一例として挙げられ、ヒートシンク４が第２の被締結部材の一例として挙げられる。なお、本実施形態に係る固定具２は、種々の変形例を採用することができる。例えば、バネ付座金８に設けられる板バネの数は、適宜変更することができる。本実施形態におけるバネ付座金８は、必ずしも枠部８３を備えていなくてもよい。すなわち、ネジ部挿通孔８４及び縁部８５を有する頂板部８１を備え、縁部８５から上述した板バネ８６ａ，８６ｂを延設しても良い。その際、上記のように、板バネの数は、特定の数に限定されない。
【００４３】
＜実施形態２＞
次に、実施形態２について説明する。図１５は、実施形態２に係る基板ユニット１Ａの分解斜視図である。図１５は、実施形態２に係る基板ユニット１Ａの側面図である。基板ユニット１Ａは、基板３、ヒートシンク４、及びこれらを互いに固定する固定具２Ａを備える。固定具は、台座７、スプリング付きネジ６、Ｅリング９、固定ネジ１０、平座金１２、バネ座金１３等を有する。台座７、スプリング付きネジ６、Ｅリング９、固定ネジ１０等は、実施形態１において述べた通りであり、ここでの詳しい説明は適宜省略する。本実施形態に係る基板ユニット１Ａでは、バネ付座金８を備えず、バネ付座金８の代わりに平座金１２及びバネ座金１３を有している。
【００４４】
実施形態２に係る固定具２Ａは、台座７とヒートシンク４との間に平座金１２及びバネ座金１３を介在させる。台座７に対するヒートシンク４の締結は、スプリング付きネジ６を用いる。平座金１２及びバネ座金１３は、スプリング付きネジ６のネジ部６０１を挿通可能な挿通孔１２１、挿通孔１３１をそれぞれ有している。
【００４５】
台座７は、実施形態１と同様、固定ネジ１０によって基板３に固定される。その際、台
座７は、基板３の実装面３１に配置されると共に、電子部品５の周囲を囲むように配置された枠体として形成されている。これによれば、基板３における非実装面３２のうち、電子部品５の裏側に位置する部位を他の電子部品の実装スペースとして利用することができる。また、実施形態１に係る台座７と同様、固定ネジ１０を用いて四隅を基板３に締結するようにしたので、基板３の反りを抑制することが可能である。また、台座７における折り曲げ部７５は、台座７の剛性を高めることに寄与するため、基板３における反りの抑制効果がより一層期待できる。
【００４６】
また、本実施形態に係る固定具は、平座金１２及びバネ座金１３を台座７とヒートシンク４との間に介在させるところ、バネ座金１３がスプリング付きネジ６の緩み止め機能を発揮する。つまり、スプリング付きネジ６の締付け時に、バネ座金１３を弾性変形することでバネ性を得ることができる。なお、本実施形態において、スプリング付きネジ６は締結体の一例である。
【００４７】
以上の各実施形態は、可能な限りこれらを組み合わせて実施する事ができる。また、以上の実施形態に関し、更に以下の付記を開示する。
（付記１）
第１の被締結部材に第２の被締結部材を固定する固定具であって、
前記第１の被締結部材に固定される台座と、
前記台座に装着されて、前記台座と前記第２の被締結部材との間に介在するバネ付座金と、
前記第２の被締結部材と前記台座とを締結する締結体と、
を備え、
前記バネ付座金は、
前記締結体のネジ部を挿通させるネジ部挿通孔と、
前記ネジ部挿通孔の周囲に形成され、前記締結体の締付け時に当該締結体に設けられた押圧部が当接することで押圧される縁部と、
前記縁部から前記ネジ部挿通孔に対する前記締結体の挿通方向前方かつ外方に向かって延設され、途中に屈曲部を有する板バネと、
を有し、
前記締結体の締付け時に、前記屈曲部が前記台座に当接した状態で前記縁部が前記押圧部に押圧されることで、前記板バネの先端が前記第２の被締結部材に当接することを特徴とする固定具。
（付記２）
前記板バネは、前記縁部に対し前記締結体の挿通方向前方側に傾斜して連設される第１板バネ部と、当該第１板バネ部に対し傾斜して連設される第２板バネ部とを有し、
前記第１板バネ部及び前記第２板バネ部の境界位置に前記屈曲部が形成されると共に、前記締結体の締付け時に第２板バネ部の先端が前記第２の被締結部材に当接することを特徴とする付記１に記載の固定具。
（付記３）
前記バネ付座金は、前記縁部のうち前記ネジ部挿通孔を挟んで略対向する部分からそれぞれ前記板バネが延設されていることを特徴とする付記１又は２に記載の固定具。
（付記４）
前記台座は、前記バネ付座金を装着するための凸形状の座金装着部を有し、
前記バネ付座金は、前記縁部を同一平面内に含み且つ前記締結体の締付け時に前記第２板バネ部を通すための開口窓を有する第１の板部と、前記第１の板部の外縁から立設すると共に前記座金装着部に嵌合可能な枠部と、を有することを特徴とする付記１から３の何れかに記載の固定具。
（付記５）
前記固定具は、前記第１の被締結部材としての基板に、前記基板に実装される電子部品
を冷却する前記第２の被締結部材としてのヒートシンクを固定するものであって、
前記台座は、前記基板における前記電子部品の実装面側に配置されると共に前記電子部品の周囲を囲む枠体であることを特徴とする付記１から４の何れかに記載の固定具。
（付記６）
前記台座は、略四角形状を有する枠体であって、その少なくとも四隅において第２の締結体を介して前記基板に締結されることを特徴とする付記５に記載の固定具。
（付記７）
締結体を介して締結される第１の被締結部材と第２の被締結部材との間に介在させるバネ付座金であって、
前記締結体のネジ部を挿通させるネジ部挿通孔と、
前記ネジ部挿通孔の周囲に形成され、前記締結体の締付け時に当該締結体に設けられた押圧部が当接することで押圧される縁部と、
前記縁部から前記ネジ部挿通孔に対する前記締結体の挿通方向前方かつ外方に向かって延設され、途中に屈曲部を有する板バネと、
を備え、
前記締結体の締付け時に、前記屈曲部が前記第１の被締結部材に当接した状態で前記縁部が前記押圧部に押圧されることで、前記板バネの先端が前記第２の被締結部材に当接することを特徴とするバネ付座金。
（付記８）
前記板バネは、前記縁部に対し前記締結体の挿通方向前方側に傾斜して連設される第１板バネ部と、当該第１板バネ部に対し傾斜して連設される第２板バネ部とを有し、
前記第１板バネ部及び前記第２板バネ部の境界位置に前記屈曲部が形成されると共に、前記締結体の締付け時に第２板バネ部の先端が前記第２の被締結部材に当接することを特徴とする付記７に記載のバネ付座金。
（付記９）
前記縁部のうち前記ネジ部挿通孔を挟んで略対向する部分からそれぞれ前記板バネが延設されていることを特徴とする付記７又は８に記載のバネ付座金。
（付記１０）
前記縁部を同一平面内に含み且つ前記締結体の締付け時に前記第２板バネ部を通すための開口窓を有する第１の板部と、前記第１の板部の外縁から立設する枠部を有することを特徴とする付記７から９の何れかに記載のバネ付座金。
（付記１１）
基板に実装される電子部品を冷却するヒートシンクを前記基板に固定する固定具であって、
前記基板に固定される台座と、
前記台座に装着されて、前記台座と前記ヒートシンクとの間に介在するバネ付座金と、
前記ヒートシンクと前記台座とを締結する締結体と、
を備え、
前記バネ付座金は、
前記締結体のネジ部を挿通させるネジ部挿通孔と、
前記ネジ部挿通孔の周囲に形成され、前記締結体の締付け時に当該締結体に設けられた押圧部が当接することで押圧される縁部と、
前記縁部から前記ネジ部挿通孔に対する前記締結体の挿通方向前方かつ外方に向かって延設され、途中に屈曲部を有する板バネと、
を有し、
前記締結体の締付け時に、前記屈曲部が前記台座に当接した状態で前記縁部が前記押圧部に押圧されることで、前記板バネの先端が前記ヒートシンクに当接することを特徴とする固定具。
（付記１２）
基板に実装される電子部品を冷却するヒートシンクを前記基板に固定する固定具であっ
て、
前記基板に固定される台座と、
前記ヒートシンクと前記台座とを締結する締結体と、
を備え、
前記台座は、前記基板における前記電子部品の実装面側に配置されると共に前記電子部品の周囲を囲む枠体であることを特徴とする固定具。
（付記１３）
前記台座は、略四角形状を有する枠体であって、その少なくとも四隅において前記基板に締結されることを特徴とする付記１２に記載の固定具。
【符号の説明】
【００４８】
１      基板ユニット
２      固定具
３      基板
４      ヒートシンク
５      電子部品
６      スプリング付きネジ
７      台座
８      バネ付座金
９      Ｅリング
１０    固定ネジ
１１    サーマルシート
７２    座金装着部
８０    開口窓
８１    頂板部
８３    枠部
８４    ネジ部挿通孔
８５    縁部
８６    板バネ
８７    屈曲部
８８    第１板バネ部
８９    第２板バネ部
【図１】
2014114834.tif 000003
【図２】
2014114834.tif 000004
【図３】
2014114834.tif 000005
【図４】
2014114834.tif 000006
【図５】
2014114834.tif 000007
【図６】
2014114834.tif 000008
【図７】
2014114834.tif 000009
【図８】
2014114834.tif 000010
【図９】
2014114834.tif 000011
【図１０】
2014114834.tif 000012
【図１１】
2014114834.tif 000013
【図１２】
2014114834.tif 000014
【図１３】
2014114834.tif 000015
【図１４】
2014114834.tif 000016
【図１５】
2014114834.tif 000017